(57)【要約】      （修正有）【課題】容器が搬送されているカップ状容器に物品を収納する際の改良された方法を開発すること。【解決手段】容器ＣＰを複数列として所定方向に順次搬送する容器搬送コンベア１に対して、当該容器搬送コンベアの両側に当該容器に充填すべき物品ＢＰを搬送・整列させるとともに、得られた整列状態で吸引パッド６等を利用して、複数物品を吸着等して、容器搬送コンベアにおいて搬送されている容器内に物品を移載する。また、前記容器への物品供給装置２５が前記容器搬送コンベアの複数列のうち、所定列に物品を供給するように構成することも可能である。【選択図】図１
2020066433.tif 000002
【特許請求の範囲】
【請求項１】
容器を複数列として所定方向に順次搬送する容器搬送コンベアと、
当該容器搬送コンベアにおいて搬送される容器に対して供給すべき物品を搬送・整列させる搬送・整列装置であって、前記容器の搬送コンベアの両側において備えられた第一搬送・整列装置及び第二搬送・整列装置と、
当該第一及び第二搬送・整列装置において整列された物品群を当該整列状態を維持し
たまま保持し、前記容器搬送コンベアにより搬送される容器に移載する移載機構とを、
備えた容器への物品供給装置。
【請求項２】
前記移載機構が、第一搬送・整列装置及び第二搬送・整列装置のそれぞれに対する個別の移載装置を備えたものである請求項１に記載の容器への物品供給装置。
【請求項３】
前記容器への物品供給装置が前記容器搬送コンベアの複数列のうち、所定列に物品を供給するように構成されている請求項１又は２に記載の容器への物品供給装置。
【請求項４】
前記容器搬送コンベアの第一搬送・整列装置側の所定列が第一容器に対応するとともに、前記第二搬送・整列装置側の所定列が第二容器に対応するように構成されている請求項３に記載の容器への物品供給装置。
【請求項５】
前記第一搬送・整列装置及び第二搬送・整列装置におけるそれぞれの物品整列状態が、前記所定列に対応して整列されている請求項３又は４のいずれかに記載の容器への物品供給装置。
【請求項６】
前記容器搬送コンベアの排出部において、当該容器搬送コンベアの進行方向と交差する方向に排出コンベアを備えた請求項１〜５のいずれかに記載の容器への物品供給装置。
【発明の詳細な説明】
【技術分野】
【０００１】
本発明は、容器に対して、物品を充填するための容器への物品供給装置に関するものである。特に、即席麺等の生産において、カップ状容器に包装された麺を収納する場合に好適に利用することができる物品供給装置に関するものである。
【背景技術】
【０００２】
食品分野において容器内に包装された麺等の物品を封入した製品は種々販売されている。このような製品を工場において連続的に大量生産する場合においては、当該容器に包装された麺等の物品を効率よく充填していく必要がある。
このような場合、当該カップ状の容器をコンベアラインで連続的に搬送し、当該容器に対して包装された麺等の物品を供給することになる。
ここで搬送される容器に対して物品を供給する装置として、例えば、以下の特許文献１に記載の技術が公開されている。
【先行技術文献】
【特許文献】
【０００３】
【特許文献１】特開2013-103779
【０００４】
当該先行特許は、容器に供給されるコンベア列に対して、物品供給コンベアが一列の場合を示している。
しかし、より多くの商品を効率よく製造するには、一列ではなく多列として、当該カップ状容器に物品を連続的に充填していく方法が好ましい。
例えば、包装された麺を収納した即席麺の製造のように、多くの商品を生産性が高く製造するためには、複数列として、当該カップ状容器に高速で袋入り麺等の物品を充填していくことが必要となる。
具体的には図２に示すような態様でコンベアライン上に搬送されているカップ状容器に対して、迅速に物品を供給していく必要がある。
このような多列としたラインにおいて迅速かつ、多量に生産するためには、カップ容器への物品の充填もより効率的に実施することが必要となる。
しかし、容器搬送の速度をアップしてより効率的に製造するためには更なる改良が求められていた。
【発明の開示】
【発明が解決しようとする課題】
【０００５】
そこで、本発明者らはこのような容器が搬送されているカップ状容器に物品を収納する際の改良された方法を開発することを課題とした。
【課題を解決するための手段】
【０００６】
本発明者らの鋭意研究の結果、容器を複数列として所定方向に順次搬送する容器搬送コンベアに対して、当該容器搬送コンベアの両側に当該容器に充填すべき物品を搬送・整列させるとともに、得られた整列状態で吸引パッド等を利用して、複数物品を吸着等して、容器搬送コンベアにおいて搬送されている容器内に物品を移載する方法が有効であることを見出した。
すなわち、本願第一の発明は、
「容器を複数列として所定方向に順次搬送する容器搬送コンベアと、
当該容器搬送コンベアにおいて搬送される容器に対して供給すべき物品を搬送・整列させる搬送・整列装置であって、前記容器の搬送コンベアの両側において備えられた第一搬送・整列装置及び第二搬送・整列装置と、
当該第一及び第二搬送・整列装置において整列された物品群を当該整列状態を維持したまま保持し、前記容器搬送コンベアにより搬送される容器に移載する移載機構とを、備えた容器への物品供給装置。」、である。
【０００７】
次に、前記移載機構は、第一搬送・整列装置及び第二搬送・整列装置のそれぞれに対する個別の移載装置であることが好ましい。
すなわち、本願第二の発明は、
「前記移載機構が、第一搬送・整列装置及び第二搬送・整列装置のそれぞれに対する個別の移載装置を備えたものである請求項１に記載の容器への物品供給装置。」、である。
【０００８】
次に、当該容器への物品供給装置は、前記複数列のうちのうち、特定の所定列にのみ物品を供給するように構成することも可能である。
すなわち、本願第三の発明は、
「前記容器への物品供給装置が前記容器搬送コンベアの複数列のうち、所定列に物品を供給するように構成されている請求項１又は２に記載の容器への物品供給装置。」、である。
【０００９】
次に、物品供給を行う所定列については、前記容器搬送コンベアの第一搬送・整列装置側の所定列が第一容器に対応するとともに、前記第二搬送・整列装置側の所定列が第一容器とは形状や構成が異なる第二容器に対応するように切替可能に構成されていることが好ましい。
すなわち、本願第四の発明は、
「前記容器搬送コンベアの第一搬送・整列装置側の所定列が第一容器に対応するとともに、前記第二搬送・整列装置側の所定列が第二容器に対応するように構成されている請求項３に記載の容器への物品供給装置。」、である。
【００１０】
次に、第一搬送・整列装置及び第二搬送・整列装置における物品の整列状態は、複数列ある容器搬送コンベアのうち、物品を供給する位置に対応して整列されていることが好ましい。
すなわち、本願第五の発明は、
「前記第一搬送・整列装置及び第二搬送・整列装置におけるそれぞれの物品整列状態が、前記所定列に対応して整列されている請求項３又は４のいずれかに記載の容器への物品供給装置。」、である。
【００１１】
次に、本容器への物品供給装置においては、物品を収納後の容器搬送コンベアの排出部において、当該容器搬送コンベアの進行方向と交差する方向に排出コンベアを備えることが好ましい。
すなわち、本願第六の発明は、
「前記容器搬送コンベアの排出部において、当該容器搬送コンベアの進行方向と交差する方向に排出コンベアを備えた請求項１〜５のいずれかに記載の容器への物品供給装置。」、である。
【図面の簡単な説明】
【００１２】
【図１】本発明の第一の実施態様の容器への物品供給装置の平面模式図である。
【図２】物品搬送コンベアの構造及び列方向を示す斜視図である。
【図３】本発明の第一の実施態様の容器搬送コンベアの平面模式図である。
【図４】本発明の第一の実施態様の第一及び第二の搬送・整列装置の平面模式図である。
【図５】本発明の第一の実施態様の移載装置の移載状態を示す模式図である。
【図６】本発明の第二の実施態様の容器への物品供給装置の平面模式図である。
【図７】本発明の第二の実施態様の移載装置の移載状態を示す模式図である。
【図８】本発明の第三の実施態様の容器への物品供給装置の平面模式図である。
【符号の説明】
【００１３】
１  容器搬送コンベア
３  第一搬送・整列装置
５  第二搬送・整列装置
６  吸引パッド
７  第一移載装置
９  第二移載装置
１１  コンベアチェーン
１３  枠体
１５  孔部
１７  カップ供給装置
１９  蓋部供給装置
２１  第一排出コンベア
２３  第二搬出コンベア
２５  物品供給コンベア
２７  蛇行コンベア（２列）
２９  搬送コンベア
３１  チャネライザー
３３  バキュームフォーミング装置
３５  整列エリア
４１  コンバーチャー
４３  蛇行コンベア（１列）
４５  切替式振り分けコンベア
３１１  第一チャネライザー
３１２  第二チャネライザー
ＣＰ  カップ状容器
ＣＰ１  第一カップ状容器
ＣＰ２  第二カップ状容器
ＢＰ    物品
ＢＰ１  第一物品
ＢＰ２  第二物品
【発明を実施するための形態】
【００１４】
以下に、本発明の実施態様について図面を参照しつつ説明する。但し、本発明はこれらの実施態様に限定されるものではない。図１は本発明の第一の実施態様の全体図を示したものである。
【００１５】
本発明の第一の実施態様においては、中央部に複数容器CPを複数列として所定方向に順次搬送する容器搬送コンベア1を有し、当該容器搬送コンベア１の両側には、当該容器搬送コンベア１において搬送される容器ＣＰに対して供給すべき物品ＢＰを搬送・整列させる搬送・整列装置であって、前記容器の搬送コンベアの両側において備えられた第一搬送・整列装置３及び第二搬送・整列装置５が備えられている。
【００１６】
さらに、当該当該第一及び第二搬送・整列装置において整列された物品を複数保持し、前記容器搬送コンベア１により搬送される複数容器ＣＰに移載する移載機構として、物品ＢＰを吸着する吸引パットを備えた移載装置（第一移載装置７及び第二移載装置９）を備えている。以下これらの構成を説明する。
【００１７】
（１）容器搬送コンベア
本発明の第一実施態様における容器搬送コンベア１は、複数の容器ＣＰを複数列の状態で搬送する容器搬送コンベアである。図１及び図２に示すように本発明の第一実施態様の容器への物品供給装置においては、一対のコンベアチェーン１１間に複数の枠体１３が連続的に連結されており、当該各枠体１３にはカップ状容器ＣＰを収納する孔部１５が複数設けられている。当該孔部１５に容器ＣＰが収納され、当該容器ＣＰ内に収納すべき物品ＢＰが供給される。
【００１８】
尚、コンベアチェーン１１は無端状の一対のスプロケット間を走行するようになっている。各枠体には、公知のカップ供給装置１７により順次カップが供給される。各枠体１３にカップ状容器が収納された状態で容器搬送コンベアが順次カップ状容器を搬送する（図２及び図３）。
また、容器ＣＰの形状は、円形に限られず、角型や楕円状等の種々の形状が可能であることは勿論である。
【００１９】
本発明の第一実施態様においては、各枠体１３に挿入されるカップ状容器ＣＰの数は６個となっており、６個のカップ状容器ＣＰを収納した枠体１３が図３の紙面右側（矢印方向）に順次搬送される。尚、当該枠体１３の収納個数がコンベアラインの列数に対応しており、本実施態様の場合、コンベアラインの列数は６列となっている。
尚、カップ状容器ＣＰはラインの上流側において公知の方法により供給される。また、物品ＢＰ（包装された麺）が供給された後においてカップ状容器ＣＰに対して上部から蓋部供給装置１９により蓋部（例えばアルミキャップ）が載置され、当該アルミキャップがヒートシールされることによってカップに吸着し、密封が施される。また、アルミキャップが載置される前に、所定のスープ、具材等の小袋や小物品を収容してもよいことは勿論である。
当該、蓋が付されたカップは、次工程に進むために、前記容器搬送コンベアの排出部において、当該容器搬送コンベア１の進行方向と交差する方向に搬送する排出コンベア（第一排出コンベア２１及び第二排出コンベア２３）に移行するように構成されている。
【００２０】
本発明の第一の実施態様においては、排出コンベア（２１及び２３）は、容器搬送コンベア１の進行方向に対して垂直に交差する方向であって、容器搬送コンベアの進行方向に対して左側の３個は一列となって左側の第一排出コンベア２１によって排出される。また、ラインの進行方向に対して右側の３個は一列となって右側の第二排出コンベア２３によって排出される。
【００２１】
（２）物品の搬送・整列装置
次に、図４に示すように前記容器搬送コンベア１の両側には、当該容器搬送コンベア１において搬送される容器ＣＰに対して供給すべき物品ＢＰを搬送・整列させる搬送・整列装置（３及び５）が設けられている。
尚、本発明における物品ＢＰとは容器ＣＰに対して収納すべき物品をいい、例えば、即席食品であると、即席麺におけるカップ状容器ＣＰに対して包装された麺を供給する場合が挙げられる。具体的には、ウエットタイプのロングライフ麺を包装したパウチ等が挙げられる。
【００２２】
本発明では、前記カップ状容器ＣＰに収納する物品ＢＰを順次供給して整列させ、当該整列状態のまま物品群をコンベアラインに搬送されているカップ状容器ＣＰに移載して、カップ状容器ＣＰに物品ＢＰを収納させる。
また、当該物品ＢＰの搬送・整列装置は、前記容器の搬送コンベア１の両側において備えられており、それぞれ第一搬送・整列装置３（容器搬送コンベアの進行方向に向かって左側）及び第二搬送・整列装置５（容器搬送コンベアの進行方向に向かって右側）となっている。
【００２３】
本発明の第一の実施態様においては図４に示すように物品ＢＰの供給のために物品供給コンベア２５が第一搬送・整列装置３及び第二搬送・整列装置５の上流側の位置に設置されている。
当該物品供給コンベア２５は、物品ＢＰのストック場所より物品群を４列として搬送する。途中で当該経路が二股に分かれて2列の蛇行コンベア２７を経て、２列の搬送コンベア２９を通過して搬送される。そして、続いてチャネライザー３１（セパレータ）において、さらに、所定位置に搬送され、バキュームフォーミング装置３３によって吸引を利用して物品を整列エリア３５において規則正しく並べて整列させる。
【００２４】
また、当該第一搬送・整列装置３と第二搬送・整列装置５のバキュームフォーミング装置３３の整列エリア３５の端部においては、複数の物品ＢＰが前記容器搬送コンベア１において枠体１３に収納されたカップ状容器ＣＰの間隔と同一となるように、６列×２（枠分）づつとなるように配置される。
また、第一搬送・整列装置３と第二搬送・整列装置５の整列エリアの端部は、容器搬送コンベア１の進行方向に対して移載装置７の幅分のため異なる位置にずらして位置している。
【００２５】
尚、上記の物品の搬送・整列装置（３及び５）は本発明を具現化する一つの態様を示したものに過ぎない。従って、本発明における物品の搬送・整列装置とは、物品を搬送しかつ整列できる機構を有するものであればあらゆる態様が可能である。本発明はこれらの態様も当然に包含するものである。
【００２６】
（３）物品の移載機構
次に、６列づつに配列された物品群ＢＰは、当該６列×２枠分（１２食）づつの状態で吸引パット６を備えた移載装置（７及び９）によって吸引保持され、前記整列エリア３５で当該整列状態を維持したまま物品移載装置（７及び９）によってコンベアラインを搬送されているカップ状容器ＣＰ内に移載される。図５に当該状態を示す。尚、図５は容器搬送コンベアの下流側から上流側を見た場合の断面模式図である。
【００２７】
当該物品移載装置は種々のタイプを利用することができる。例えば、物品ＢＰの吸引保持についても送風機やコンプレッサー等を用いて、ベンチュリの法則を利用するタイプ、ベルヌーイ効果を利用するタイプ等の種々のタイプを利用することができる。
【００２８】
（４）物品の移動の経路
以下に再度、物品ＢＰの移動の経路について説明する。カップ状容器ＣＰに収納する物品ＢＰは物品供給コンベア２５により４列の状態で上流から搬送される。当該４列のうち、２列ごとに搬送経路は分かれ、蛇行コンベア２７により蛇行状にコンベア移動した後、２列ごとの直進する搬送コンベア２９（２経路）に移行する。
次に、各搬送コンベア２９から２列で搬送される物品は、並列する２機のチャネライザー３１に移動し、当該物品ＢＰは、各チャネライザー３１によって各整列エリア３５に運ばれバキュームフォーミング装置３３によって６列×２枠の１２食ごとに整列される。
【００２９】
一方、容器搬送コンベア１においては、カップ状容器ＣＰが供給された後、６列でカップ状容器ＣＰが搬送されている。当該搬送されているカップ状容器ＣＰに、整列エリア３５において整列された物品ＢＰは、移載装置（7及び９）によって６列×２枠（１２食）ごとに吸引パッド６により吸着され、容器搬送コンベア１の側に水平移動し、容器搬送コンベア１において搬送されているカップ状容器ＣＰに６列×２枠（１２カップ）ごとに供給される。
【００３０】
容器搬送コンベア１において搬送されているカップ状容器ＣＰに物品ＢＰ（包装された麺）が収納された状態で、その他の小袋等が追加された後、各カップ状容器ＣＰの開口部に上部に蓋部供給装置１９により蓋部（アルミキャップ）が載置され、ヒートシールされることによって上部が密閉され、物品ＢＰを含め他の必要な物品を収納し、上部に蓋がされた後、カップ状容器ＣＰは、容器搬送コンベア１の進行方向と垂直に交差する排出コンベア（に移載され、搬送コンベアによって次工程に移行する。尚、排出コンベア（第一排出コンベア２１及び第二排出コンベア２３）は反対向きの２方向に搬送するように設定されている。
【００３１】
（５）第二の実施態様
次に図６は、本発明の第二の実施態様を示したものである。
第二の実施態様においては、第一の実施態様とは異なり、前記容器搬送コンベア１の第一搬送・整列装置側の複数列（３列）が第一容器ＣＰ１に対応するとともに、前記第二搬送・整列装置側の複数列（３列）が第二容器ＣＰ２に対応するように構成されている。
【００３２】
通常、同一商品を大量に製造するのであれば、上述の第一の実施態様による製造方法が好ましいが、このような場合、別の商品（容器及び／又は収納する物品が異なるタイプ）を製造しようとすると、容器のサイズや収容する物品（内容物）が異なるため、容器の供給装置、収容する物品（内容物）の種類、蓋部種類や当該蓋部のヒートシール機等の種々の入れ替える必要が生じる場合がある。
このような、製造ラインの調整は煩雑な作業を伴うことが多い。このため、予め複数種類の商品の製造に対応できるように物品の容器への供給装置を調整しておくと便利である。
【００３３】
すなわち、生産能力は低下するが、予め複数の商品に対応できるように本発明の物品の容器への供給装置を構成しておくことができる。複数品種を少量生産する際には上記の態様が有効である。
本願の第二の実施態様はこのような態様を示すものである。すなわち、前記容器搬送コンベア１において、第一搬送・整列装置側の３列に供給すべき物品（第一物品ＢＰ１とする）と、第二搬送・整列装置側の３列に供給すべき物品（第二物品ＢＰ２とする）が異なる種類の物品であり、かつ、当該第一物品ＢＰ１は第一容器ＣＰ１に対応するとともに、第二物品ＢＰ２は第一容器とは異なる第二容器ＣＰ２に対応するようになっている。さらに、これに対応して蓋部供給装置１９により供給される蓋部（アルミキャップ）の種類等も異なっている。
【００３４】
例えば、第一容器ＣＰ１が小カップであり、第二容器ＣＰ２が大カップであるようにカップの種類やサイズが異なり、あるいは、各カップに収納する物品の種類やサイズが異なる場合でも好適に対応することができる。
具体的には、本発明の第二の実施態様においては容器搬送コンベア１のコンベア進行方向に向かって左側の３列に第一容器ＣＰ１が挿入されており順次搬送されている。
また、容器搬送コンベア１のコンベア進行方向に向かって右側の３列が第二容器ＣＰ２に対応することができるようになっている。
【００３５】
但し、図６には当該第二容器ＣＰ２は挿入されておらず、第一容器ＣＰ１のみを搬送する状態を示している。
尚、上記の場合、容器搬送コンベア１の６列のうち、その半分の３列づつが第一容器ＣＰ１及び第二容器ＣＰ２に対応できるように構成されているが、このように容器搬送コンベア１の列数の半分づつを第一容器ＣＰ１及び第二容器ＣＰ２に対応できるように構成しておくと前述のように品種の異なる商品を製造する場合に便利である。
【００３６】
次に、第一搬送・整列装置３においては、カップ状容器の搬送経路の進行方向に向かって左側の３列分の第一容器ＣＰ１に対して、収納するための第一物品ＢＰ１が搬送・整列するように設定されている。すなわち、第一搬送・整列装置３においては、コンベアの進行方向に向かって整列エリアの左側の領域にのみ第一物品が３列に整列するように、並列するチャネライザーのうち一方のチャネライザー３１１のみが利用される。
【００３７】
さらに、同様に第二搬送・整列装置５においても、カップ状容器の搬送経路のうち、進行方向に向かって左側の３列分の第一容器ＣＰ１に対して、収納するための第一物品ＢＰ１が搬送・整列するように設定されている。このため、同様に並列するチャネライザーのうち一方のチャネライザー３１１のみが利用される。
【００３８】
次に、当該第二の実施態様においては、第一搬送・整列装置３において、整列エリア３５においてコンベアの進行方向に向かって左側の３列×２枠（６食）分の第一物品ＢＰ１のみを吸着し、搬送されている第一容器ＣＰ１に当該物品を供給する移載装置７が設けられている。
尚、当該移載装置の吸引パッド６の６つ部分のうち、切替により吸引動作は３つのみとなっている。図７に当該状態を示す。尚、図７は容器搬送コンベアの下流側から上流側を見た場合の模式図である。
【００３９】
さらに、第二搬送・整列装置５についても同様にコンベアの進行方向に向かって左側の３列の第一物品ＢＰ１のみを吸着し、搬送されている第一容器ＣＰ１に当該物品を供給する。
すなわち、容器搬送コンベア１及び物品の搬送・整列装置（３及び５）ともに、６列のうち、左側の３列のみを利用する形態を示している。
【００４０】
また、第一物品ＢＰ１を収納したカップに対しては、必要に応じて他のスープ及び具
材等の小袋等が追加された後、上部より蓋部供給装置１９によりアルミ製の蓋部が載置され、当該蓋部のヒートシール処理が施された後に、当該容器搬送コンベアの進行方向と交差する方向に走行する排出コンベア２１に乗り移りするように構成されている（容器搬送コンベアの進行方向に向かって左方向）。
【００４１】
（６）第二の実施態様における物品の移動の経路
以下に本願の第二の実施態様において物品の移動の経路について図６を参照しつつ再度説明する。    
カップ状容器に収納する第一物品ＢＰ１は物品供給コンベア２５により４列の状態で上流から搬送される。当該４列のうち、２列ごとに２列から１列に変更するコンバーチャー４１によって１列搬送に変更された後、蛇行コンベア４３により蛇行状にコンベア移動した後、切替式振り分けコンベア４５（２経路）に移載される。
【００４２】
当該切替式振り分けコンベア４５は、並列する２機のチャネライザー（３１１及び３１２）に物品を供給することが可能であるが、容器搬送ライン１の進行方向に向かって左側３列のカップ状容器ＣＰに第一物品ＢＰ１を供給する場合には、第一搬送・整列装置３のチャネライザーのうち、コンベア進行方向に向かって左側のチャネライザー３１１に第一物品ＢＰ１を供給する。また、第二搬送・整列装置５のチャネライザーにおいても、同様にコンベア進行方向に向かって左側のチャネライザー３１１に第一物品ＢＰ１を供給する。
【００４３】
当該各チャネライザーによって第一物品ＢＰ１は、各整列エリア３５に運ばれバキュームフォーミング装置３３によって整列エリア３５において３列ごとに整列される。
一方、容器搬送コンベア１においては、６列のうち進行方向に向かって左側の３列に第一カップ状容器ＣＰ１が収納されている。当該搬送されているカップ状容器ＣＰ１に対して、整列エリア３５において整列された物品ＢＰ１は、移載装置（７及び９）によって３列×２枠（６食）が吸引パット６により吸着され、容器搬送コンベア１側に水平移動し、容器搬送コンベア１において搬送されているカップ状容器ＣＰ１に３列×２枠（６カップ）ごとに供給される。
【００４４】
容器搬送コンベア１において搬送されているカップ状容器ＣＰ１に第一物品ＢＰ１が収納された状態で、その他のスープや具材等の小袋等が追加された後、各カップ状容器の開口部に上部に蓋部供給装置１９より蓋部（アルミキャップ）が載置され、ヒートシールされることによって上部が密閉され、第一物品ＢＰ１を含め必要な物品を収納し、上部に蓋がされたカップ状容器は、容器搬送コンベア１の進行方向と垂直に交差する排出コンベア２１に移載され、当該排出コンベア２１によって次工程に移行する。
【００４５】
（７）第三の実施態様      
本願の第二の実施態様においては容器搬送コンベア１のコンベア進行方向に向かって左側の３列を使用する態様を示していたところ、図８に示すように本願の第三の実施態様は、右側の３列を使用する態様を示したものである。
本第三の実施態様は、容器への物品供給装置において容器搬送コンベア１の進行方向に向かって右側３列のカップ状容器ＣＰに物品を供給する構成となっている。
【００４６】
具体的には、容器搬送コンベア１のコンベア進行方向に向かって右側の３列に第二容器ＣＰ２が挿入されており順次搬送されている。また、図８においては、第一容器は挿入されておらず、第二容器のみを搬送する状態を示している。
次に、第一搬送・整列装置３の並列する２機のチャネライザーにおいて、コンベア進行方向に向かって右側のチャネライザー３１２に第二物品ＢＰ２を供給する。また、第二搬送・整列装置５のチャネライザーにおいても、コンベア進行方向に向かって右側のチャネライザー３１２に第二物品ＢＰ２を供給する。
【００４７】
このようにするために上述の切替式振り分けコンベア４５をコンベア進行方向に対して右側のチャネライザー３１２に供給するようにその向きを第二の実施態様とは変えている。
チャネライザー３１２における搬送の後、整列エリア３５においてコンベアの進行方向に向かって右側の領域にのみ第二物品ＢＰ２が３列に整列するように設定されている。
【００４８】
また、同様に第二搬送・整列装置５においても、整列エリア３５においてコンベアの進行方向に向かって右側の領域にのみ第二物品ＢＰ２が３列に整列するように設定されている。
整列エリア３５において整列された物品ＢＰ２は、移載装置７，９によって３列×２枠（６食）吸引パットにより吸着され、容器搬送コンベアに水平移動し、容器搬送コンベアにおいて搬送されているカップ状容器（第二容器ＣＰ２）に３列×２枠（６カップ）ごとに供給される。
【００４９】
容器搬送コンベア１において搬送されているカップ状容器ＣＰ２に第二物品ＢＰ２が収納された状態で、その他のスープや具材等の小袋等が追加された後、各カップ状容器の開口部に上部に蓋部供給装置１９により蓋部（アルミキャップ）が載置され、ヒートシールされることによって上部が密閉され、第二物品ＢＰ２を含め必要な物品を収納し、上部に蓋部供給装置１９により蓋部がされたカップ状容器は、容器搬送コンベア１の進行方向と垂直に交差する排出コンベア２３に移行され、排出コンベア２３によって次工程に移行する。具体的には、容器搬送コンベア１の進行方向と交差する方向に排出コンベア２３に乗り移りするように構成されている（容器搬送コンベアの進行方向に向かって右方向）。
【００５０】
（６）本発明の適用製品
本発明は種々の製品の製造に利用することができるが、特に加工食品の製造に好適に利用することができる。特にプラスチック製の包装材中に封入された麺等をカップ状の容器に封入して製造する生タイプ即席麺に好適に適用することができる。
【図１】
2020066433.tif 000003
【図２】
2020066433.tif 000004
【図３】
2020066433.tif 000005
【図４】
2020066433.tif 000006
【図５】
2020066433.tif 000007
【図６】
2020066433.tif 000008
【図７】
2020066433.tif 000009
【図８】
2020066433.tif 000010